(57)【要約】      （修正有）【課題】ごみの排出に関する情報を提示する情報処理装置を提供する。【解決手段】情報処理システムにおいて、情報処理装置１０は、制御部１１と表示部１３とを備える。制御部１１は、ごみを排出した日時とごみの種別を識別するごみ種別識別情報とごみを排出する者を識別する世帯識別情報とごみを排出したコンテナを識別するコンテナ識別情報とごみを排出した位置を識別する位置識別情報とを含むタグ読取情報を受信し、所定の日時におけるタグ読取情報を分析し、分析した結果に基づいてごみに関する情報を表示部１３に表示させる。【選択図】図１
2020149547.tif 000002
【特許請求の範囲】
【請求項１】
ごみを排出した日時と、前記ごみの種別を識別するごみ種別識別情報と、前記ごみを排出する者を識別する世帯識別情報と、前記ごみを排出したコンテナを識別するコンテナ識別情報と、前記ごみを排出した位置を識別する位置識別情報とを含むタグ読取情報を受信し、所定の日時における前記タグ読取情報を分析し、前記分析した結果に基づいて前記ごみに関する情報を表示部に表示させる制御部を備える、
情報処理装置。
【請求項２】
前記制御部は、
前記タグ読取情報を蓄積した履歴情報を記憶部に記憶し、
前記ごみを排出する規則を定めた情報であるごみ排出規則情報を前記記憶部から読み出し、
前記履歴情報から前記ごみ排出規則情報を逸脱した前記タグ読取情報を抽出し、
前記抽出した前記タグ読取情報に基づく情報を前記表示部に表示させる、
請求項１記載の情報処理装置。
【請求項３】
前記ごみ排出規則情報は、
前記ごみの排出可能時間と前記ごみの種別ごとの排出可能曜日を含み、
前記制御部は、
前記履歴情報に前記ごみ排出規則情報を逸脱した前記タグ読取情報が存在する場合、前記履歴情報のうち前記排出可能時間を逸脱した前記タグ読取情報の件数、前記履歴情報のうち前記排出可能曜日を逸脱した前記タグ読取情報の件数、前記履歴情報のうち前記排出可能時間を逸脱した前記タグ読取情報に含まれる前記世帯識別情報、前記履歴情報のうち前記排出可能曜日を逸脱した前記タグ読取情報に含まれる前記世帯識別情報、前記履歴情報のうち前記排出可能時間を逸脱した前記タグ読取情報に含まれる前記位置識別情報、前記履歴情報のうち前記排出可能曜日を逸脱した前記タグ読取情報に含まれる前記位置識別情報、のいずれかの情報を前記表示部に表示させる、
請求項２記載の情報処理装置。
【請求項４】
前記制御部は、
前記履歴情報のうち前記排出可能時間を逸脱した前記タグ読取情報の件数を前記表示部に表示させる際に、
前記排出可能時間内に排出された前記ごみの個数と前記排出可能時間外に排出された前記ごみの個数とを時系列にグラフとして表示する、
請求項３記載の情報処理装置。
【請求項５】
前記制御部は、
前記履歴情報のうち前記排出可能曜日を逸脱した前記タグ読取情報の件数を前記表示部に表示させる際に、
前記排出可能曜日内に排出された前記ごみの個数と前記排出可能曜日外に排出された前記ごみの個数とを曜日別にグラフとして表示する、
請求項３記載の情報処理装置。
【請求項６】
前記制御部は、
前記タグ読取情報を蓄積した履歴情報を記憶部に記憶し、
前記コンテナ別に排出すべき前記ごみの種別を定めた情報であるコンテナ別排出規則情報を前記記憶部から読み出し、
前記履歴情報から前記コンテナ別排出規則情報を逸脱した前記タグ読取情報を抽出し、
前記抽出した情報を前記表示部に表示させる、
請求項１記載の情報処理装置。
【請求項７】
情報処理装置が、
ごみを排出した日時と前記ごみの種別を識別するごみ種別識別情報と前記ごみを排出する者を識別する世帯識別情報と前記ごみを排出したコンテナを識別するコンテナ識別情報と前記ごみを排出した位置を識別する位置識別情報とを含むタグ読取情報を受信し、
所定の日時における前記タグ読取情報を分析し、
前記分析した結果に基づいて前記ごみに関する情報を表示部に表示させる、
情報処理方法。
【発明の詳細な説明】
【技術分野】
【０００１】
本発明は、情報処理装置および情報処理方法に関する。
【背景技術】
【０００２】
従来から、各自治体の定めるところにより、ごみの分別および収集が実施されているが、各自治体の定める規則に従わずにごみ出しがされる事態が生じている。住民がごみの分別を正しく行わない状態で廃棄を行うことにより、ごみ収集施設における分別作業のコストの増加や、リサイクル可能なごみ資源を埋め立て処分することによる環境負荷等の問題が生じている。
【０００３】
このようなごみの処理の問題に対応するため、ごみ収集車に車載されるＧＰＳ端末装置を用いた家庭または地区のごみの排出状況を管理するための家庭ごみ収集システムが知られている。
【先行技術文献】
【特許文献】
【０００４】
【特許文献１】特開２００５−８３３９号公報
【発明の概要】
【発明が解決しようとする課題】
【０００５】
従来技術は、ごみ収集車から受信した情報に基づき、ごみの収集量を収集地区ごとに集計してグラフに表示することが開示されているが、その他の情報を報知することは考慮されていない。
【０００６】
ごみ排出規則（ごみの排出可能時間、曜日やごみの分別種別等を定めた規則）は、地区ごとに異なり、自治体の係員であっても把握するのが難しい場合もある。自治体によっては、ごみ回収車の台数やごみ収集を行う人員を考慮して曜日ごとに回収するごみの種別を設定しており、全ての地区で同じ曜日に同じ種類のごみが回収されるとは限らない。たとえば、ある地区では月曜日が燃えるごみの回収日であり、他の地区では火曜日が燃えるごみの回収日となる場合がある。
【０００７】
また、自治体等が定めるごみ排出規則では、曜日だけでなく、時間やごみ分別種類も地区ごとに異なる場合がある。たとえば、地区によって、カラス等の野生動物によるごみ散乱の被害の低減を図るため、ごみ出し可能な時間をごみ収集前の所定時間（収集前２〜３時間）に制限している場合がある。また、他の地区では、ごみ集積所をシャッター付き物置型の設備とすることで、ごみ出し可能な時間帯を延ばし住民サービスの向上に努める場合もある。また、地区によっては、リサイクル施設におけるごみ種別の対応状況等を考慮して分別するごみの種別を設定する場合もある。
【０００８】
このように、近年、ごみ排出規則が複雑化しており、自治体等の係員は、ごみ排出規則に沿ってごみの廃棄が行われているか否かを把握することが難しい。また、係員は、ごみ排出規則が地区ごとに異なるため、住民がごみの排出規則（ルール）を守ってごみの排出を行っているか否かを判定することが難しい。このような状況に対処するため、ごみの排出に関する情報を提示する技術が望まれている。
【０００９】
一側面では、本発明は、ごみの排出に関する情報を提示する情報処理装置および情報処理方法を提供することを目的とする。
【課題を解決するための手段】
【００１０】
上記目的を達成するために、以下に示すような情報処理装置を提供する。情報処理装置は、制御部と表示部とを備える。制御部は、ごみを排出した日時と、ごみの種別を識別するごみ種別識別情報と、ごみを排出する者を識別する世帯識別情報と、ごみを排出したコンテナを識別するコンテナ識別情報と、ごみを排出した位置を識別する位置識別情報とを含むタグ読取情報を受信し、所定の日時におけるタグ読取情報を分析し、分析した結果に基づいてごみに関する情報を表示部に表示させる。
【発明の効果】
【００１１】
一態様によれば、情報処理装置において、ごみの排出に関する情報を提示する。
【図面の簡単な説明】
【００１２】
【図１】第１の実施形態の情報処理システムの一例を示す図である。
【図２】第２の実施形態の情報処理システムの一例を示す図である。
【図３】第２の実施形態のサーバのハードウェア構成の一例を示す図である。
【図４】第２の実施形態の排出規則情報の一例を示す図である。
【図５】第２の実施形態のタグ読取情報の一例を示す図である。
【図６】第２の実施形態の履歴情報の一例を示す図である。
【図７】第２の実施形態の逸脱管理情報の一例を示す図である。
【図８】第２の実施形態のごみ排出情報表示画面の一例を示す図である。
【図９】第２の実施形態の地区時間別表示画面の一例を示す図である。
【図１０】第２の実施形態の世帯時間別表示画面の一例を示す図である。
【図１１】第２の実施形態の地区ごみ分別表示画面の一例を示す図である。
【図１２】第２の実施形態の世帯ごみ分別表示画面の一例を示す図である。
【図１３】第２の実施形態の地区曜日別表示画面の一例を示す図である。
【図１４】第２の実施形態の世帯曜日別表示画面の一例を示す図である。
【図１５】第２の実施形態のごみ情報収集処理のフローチャートの一例を示す図である。
【図１６】第２の実施形態のごみ情報表示処理のフローチャートの一例を示す図である。
【発明を実施するための形態】
【００１３】
以下、図面を参照して実施の形態を詳細に説明する。
［第１の実施形態］
まず、第１の実施形態の情報処理システムについて図１を用いて説明する。図１は、第１の実施形態の情報処理システムの一例を示す図である。
【００１４】
情報処理システム９０は、排出されたごみを管理する自治体、各種施設、企業等が利用するシステムである。情報処理システム９０は、情報処理装置１０と中継器２０，３０とタグリーダ４１ａ，４１ｂ，…とを含むシステムである。情報処理装置１０と中継器２０，３０とタグリーダ４１ａ，４１ｂ，…は、無線通信やネットワークを介して情報の送受信を行う機能を備える。情報処理装置１０は、中継器２０と同一の施設内に設置されてもよいし、異なる施設内に設置されてもよい。タグリーダ４１ａ，４１ｂ，…は、タグ７１，８１に記憶された情報を読み出し、中継器３０に送信する機能を備えている。タグ７１，８１は、ＲＦＩＤ（Radio Frequency IDentification）タグのような非接触タグであり、情報を記録する機能を備えている。
【００１５】
情報処理装置１０は、中継器２０，３０を介してタグリーダ４１ａ，４１ｂ，…が読み取った情報を受信する機能を備え、受信した情報を記憶し、分析した結果を表示するコンピュータである。情報処理装置１０は、制御部１１と記憶部１２と表示部１３とを備える。制御部１１は、情報処理装置１０全体を制御するものであり、たとえば、プロセッサ等である。記憶部１２は、情報処理装置１０に備えられるＨＤＤ（Hard Disk Drive）や各種メモリ等である。記憶部１２には、情報処理装置１０の制御方法を実行するためのプログラムや、オペレーティングシステムや、中継器２０，３０を介して受信した情報等が記憶される。表示部１３は、情報を表示するものであり、たとえばディスプレイである。
【００１６】
中継器２０，３０は、タグリーダ４１ａ，４１ｂ，…がタグ７１，８１から読み取った情報を受信し、受信した情報を情報処理装置１０へ送信する機能を備えた装置である。中継器２０，３０は、たとえば、無線ＬＡＮ（Local Area Network）ルータや無線通信機能を備えた情報処理装置等である。
【００１７】
中継器３０は、ごみ排出位置（ごみ集積所、地区）ごとに設置される装置である。中継器３０は、ごみ排出位置に設置されたコンテナからタグ７１，８１から読み取った情報を受信する。コンテナ４０ａ，４０ｂ，…は、ごみを収納する容器でありタグリーダ４１ａ，４１ｂ，…を備え、コンテナ４０ａ，４０ｂ，…に排出されたごみに貼付されたタグ７１，８１に記録された情報を読み出し、中継器３０に送信する。
【００１８】
コンテナ４０ａ，４０ｂ，…は、ごみの種別ごとに備えられる容器であり、たとえば、燃えるごみを収納するコンテナ４０ａである。また、コンテナ４０ｂは、家電ごみを収納する容器である。コンテナ４０ａ，４０ｂ，…は、タグリーダ４１ａ，４１ｂ，…を備え、タグ７１，８１から読み取った情報を中継器３０に送信する。中継器３０は、タグリーダ４１ａ，４１ｂ，…から受信した情報に、それぞれコンテナ識別情報を付与して中継器２０に送信する。
【００１９】
ここで、情報処理システム９０における、情報処理方法について説明する。ごみを排出する者には、予めごみの種別を識別するごみ種別識別情報と、ごみを排出する者を識別する世帯識別情報とを記録したタグ７１が付与されたごみ袋７０が配布されているものとする。また、ごみを排出する者には、ごみ袋７０ではなく、予めごみの種別を識別するごみ種別識別情報と、ごみを排出する者を識別する世帯識別情報とを記録したタグ８１が付与されたシール８０が配布されていてもよい。
【００２０】
ごみを排出する者は、燃えるごみの入ったごみ袋７０をコンテナ４０ａに排出する。タグ７１には、燃えるごみであることを識別するごみ種別識別情報が記録され、ごみを排出した者を特定する世帯識別情報が記録されているものとする。タグリーダ４１ａは、タグ７１を読み取った日時（ごみが排出された日時）と、タグ７１に記録されたごみ種別識別情報と、タグ７１に記録された世帯識別情報とを中継器３０に送信する。
【００２１】
中継器３０は、タグリーダ４１ａから受信した情報に、ごみが排出されたコンテナ４０ａを識別するコンテナ識別情報（燃えるごみを収納するコンテナを示す情報）を付与し、中継器２０に送信する。なお、ごみ袋７０がコンテナ４０ｂに排出された場合、中継器３０は、タグリーダ４１ｂから受信した情報に、ごみが排出されたコンテナ４０ｂを識別するコンテナ識別情報（家電ごみを収納するコンテナを示す情報）を付与し、中継器２０に送信する。
【００２２】
中継器２０は、中継器３０から受信した情報に中継器３０の位置（ごみが排出された位置）を識別する位置識別情報（たとえば、ごみ集積所の識別情報、地区の識別情報）を付与し、タグ読取情報として情報処理装置１０に送信する。
【００２３】
情報処理装置１０の制御部１１は、ごみを排出した日時とごみ種別識別情報と世帯識別情報とコンテナ識別情報と位置識別情報とを含むタグ読取情報を受信する。制御部１１は、受信したタグ読取情報を蓄積した履歴情報を記憶部１２に記憶する。
【００２４】
制御部１１は、所定の日時におけるタグ読取情報を分析し、分析した結果に基づいてごみに関する情報を表示部１３に表示させる。たとえば、制御部１１は、所定の日時（２０１９年２月〜３月）におけるごみの排出個数を、所定のごみの排出時間（ごみが排出されたことを検知した時間）ごとにタグ読取情報に基づいて集計した情報を表示部１３に表示させる。また、制御部１１は、受信した情報に含まれるごみ種別識別情報とコンテナ識別情報に基づき、ごみの分別が誤っている場合（たとえば、燃えるごみが家電ごみのコンテナに排出された場合）、その旨を表示し、ごみの分別誤りの件数や日時を表示部１３に表示させる。
【００２５】
また、制御部１１は、ごみを排出する規則を定めた情報であるごみ排出規則情報を記憶部１２から読み出し、履歴情報からごみ排出規則情報を逸脱したタグ読取情報を抽出し、抽出したタグ読取情報に基づく情報を表示部１３に表示させる。たとえば、制御部１１は、ごみ排出規則情報にごみ排出可能時間が含まれている場合、ごみ排出可能時間外に排出されたごみの個数とごみ排出可能時間内に排出されたごみの個数とを集計し、表示部１３に表示できる。
【００２６】
このように、情報処理装置１０は、ごみに付与されたタグ７１，８１から読み取った情報を分析し、分析した情報に基づく画面を表示部１３に表示させることができる。また、情報処理装置１０は、ごみ排出規則情報を逸脱した情報を抽出し、表示部１３に表示させることができる。これにより、情報処理システム９０の運用や管理を行う係員は、ごみを排出した日時や種別、ごみを排出した者等を表示部１３を介して目視で確認できるため、ごみの廃棄状態を把握しやすくなる。また、係員は、特定の日時における情報を分析した結果を確認できるため、いつ、どのようにごみの廃棄状態が逸脱したのか、ごみの廃棄状態の詳細を確認することができる。
【００２７】
こうして、情報処理システム９０における情報処理装置１０は、ごみの排出に関する情報を提示する。
［第２の実施形態］
次に、第２の実施形態として、情報処理システムについて図２を用いて説明する。図２は、第２の実施形態の情報処理システムの一例を示す図である。
【００２８】
情報処理システム４００は、自治体、企業、各種団体等がごみの排出状況を管理するためのシステムである。情報処理システム４００は、サーバ３００、広域中継装置２５０、集積所中継装置２００ａがネットワーク４１０を介して接続したシステムである。情報処理システム４００は、１以上の地区（第１地区、…）に対して設置され、各地区は１以上のごみの集積所（集積所Ａ、…）を含む。地区ごとに、または、地区に含まれる集積所ごとに、ごみを排出するルールである排出規則が定められているものとする。情報処理システム４００において、各地区は地区コードで識別され、各集積所は集積所コードで識別されるものとする。なお、地区とは、行政上の区画に限られるものではない。情報処理システム４００の運用主体が企業である場合には、企業が情報監視サービスを行う対象とする所定の領域を地区として識別してもよい。
【００２９】
集積所は、１以上のごみを収集するコンテナと集積所中継装置２００ａを備える。コンテナは、廃棄するごみを入れる容器である。コンテナは、ごみを分別する種類ごとに設置される。たとえば、コンテナとして、燃えるごみ収集コンテナ１００ａ、プラスチック収集コンテナ１００ｂ、缶収集コンテナ１００ｃ、びん収集コンテナ１００ｄ、ペットボトル収集コンテナ１００ｅ、古紙収集コンテナ１００ｆ、小型家電収集コンテナ１００ｇが設置される。
【００３０】
また、集積所に設置された各コンテナは、ごみに付与されたタグ１５１ａ，…に記録された情報を読み取るタグリーダ１０１ａ，…を備える。たとえば、燃えるごみ収集コンテナ１００ａは、タグリーダ１０１ａを備える。プラスチック収集コンテナ１００ｂは、タグリーダ１０１ｂを備える。缶収集コンテナ１００ｃは、タグリーダ１０１ｃを備える。びん収集コンテナ１００ｄは、タグリーダ１０１ｄを備える。ペットボトル収集コンテナ１００ｅは、タグリーダ１０１ｅを備える。古紙収集コンテナ１００ｆは、タグリーダ１０１ｆを備える。小型家電収集コンテナ１００ｇは、タグリーダ１０１ｇを備える。
【００３１】
集積所を利用する利用者（地区の居住者等）は、ごみを廃棄する際に、タグ１５１ａ，…が付与されたごみ袋を用いる。ごみ袋は、利用者宅から集積所へごみを廃棄する際に繰り返し用いる再利用可能なごみを入れる容器である。ごみ袋は、袋であることは必須条件ではなく、ごみを入れることが可能な容器であれば何でもよい。ごみ袋は、ごみを分別する種類ごとに用意され、それぞれにタグ１５１ａ，…が備えられる。たとえば、燃えるごみを排出する際には、燃えるごみ用ごみ袋１５０ａが用いられる。燃えるごみ用ごみ袋１５０ａは、タグ１５１ａを備える。プラスチックごみを排出する際には、プラスチック用ごみ袋１５０ｂが用いられる。プラスチック用ごみ袋１５０ｂは、タグ１５１ｂを備える。他の種類のごみ袋についても同様である。
【００３２】
なお、タグ１５１ａ，…が付与されたごみ袋は、ごみを廃棄する際の一態様に過ぎず、ごみにタグ１６１ａ付きのシール１６０ａを貼付してもよいし、その他の態様であってもよい。また、ごみ袋１５０ａやシール１６０ａは、リサイクル可能としてもよいし、リサイクル不可としてもよい。タグ１５１ａ，１５１ｂ，１６１ａ，…に記録する情報については、後で図５を用いて説明する。
【００３３】
以下の説明において、タグ１５１ａ，１５１ｂ，１６１ａ，…をタグ１５１ａと記載する。なお、タグ１５１ａ，１５１ｂ，１６１ａ，…を特に特定して説明する場合、個々の符号を付与して説明するものとする。また、タグリーダ１０１ａ，１０１ｂ，１０１ｃ，１０１ｄ，１０１ｅ，１０１ｆ，１０１ｇ，…をタグリーダ１０１ａと記載する。なお、タグリーダ１０１ａ，１０１ｂ，１０１ｃ，１０１ｄ，１０１ｅ，１０１ｆ，１０１ｇ，…を特に特定して説明する場合、個々の符号を付与して説明するものとする。タグリーダ１０１ａとは、たとえば、ＲＦＩＤタグのような非接触タグに記憶された情報を、無線通信によって読み書きを行う装置である。また、タグ１５１ａとは、無線通信によって記録された情報を読み出しが可能な媒体であり、ＲＦＩＤタグ等の非接触タグである。なお、情報処理システム４００で用いるタグおよびタグリーダは、ＲＦＩＤタグおよびＲＦＩＤリーダに限るものではなく、その他のものであってもよい。
【００３４】
集積所中継装置２００ａは、タグ１５１ａから読み取った情報をタグリーダ１０１ａから受信し、広域中継装置２５０に送信する機能を備える通信装置である。集積所中継装置２００ａ、たとえば、無線ＬＡＮルータ等である。広域中継装置２５０は、集積所中継装置２００ａが送信した情報を受信し、ネットワーク４１０を介してサーバ３００に送信する機能を備える通信装置である。広域中継装置２５０は、たとえば、各種の無線アクセスポイントや無線ＬＡＮルータ等である。なお、集積所中継装置２００ａや広域中継装置２５０は、排出されたごみの情報を収集するための無線通信システムの一例に過ぎず、その他の装置を用いてもよい。
【００３５】
サーバ３００は、タグリーダ１０１ａがタグ１５１ａから読み取った情報を集積所中継装置２００ａおよび広域中継装置２５０を介して受信し、受信した情報を分析および表示する機能を備えるコンピュータである。サーバ３００が実行する処理については、後で図１５および図１６を用いて説明する。
【００３６】
次に、第２の実施形態のサーバのハードウェア構成について図３を用いて説明する。図３は、第２の実施形態のサーバのハードウェア構成の一例を示す図である。
サーバ３００は、制御部３１０を含む。制御部３１０は、プロセッサ３１１、ＲＡＭ（Random Access Memory）３１２、ＨＤＤ３１３、画像信号処理部３１４、入力信号処理部３１５、媒体リーダ３１６、通信インタフェース３１７を含む。サーバ３００は、プロセッサ３１１によって装置全体が制御されている。プロセッサ３１１には、バス３１８を介してＲＡＭ３１２と複数の周辺機器が接続されている。プロセッサ３１１は、マルチプロセッサであってもよい。プロセッサ３１１は、たとえば、ＣＰＵ（Central Processing Unit）、ＭＰＵ（Micro Processing Unit）、ＤＳＰ（Digital Signal Processor）、ＡＳＩＣ（Application Specific Integrated Circuit）、またはＰＬＤ（Programmable Logic Device）である。また、プロセッサ３１１は、ＣＰＵ、ＭＰＵ、ＤＳＰ、ＡＳＩＣ、ＰＬＤのうちの２以上の要素の組み合わせであってもよい。
【００３７】
ＲＡＭ３１２は、サーバ３００の主記憶装置として使用される。ＲＡＭ３１２には、プロセッサ３１１に実行させるＯＳ（Operating System）のプログラムやアプリケーションプログラムの少なくとも一部が一時的に記憶される。また、ＲＡＭ３１２には、プロセッサ３１１による処理に必要な各種データが記憶される。
【００３８】
バス３１８に接続されている周辺機器としては、ＨＤＤ３１３、画像信号処理部３１４、入力信号処理部３１５、媒体リーダ３１６および通信インタフェース３１７がある。
ＨＤＤ３１３は、内蔵したディスクに対して、磁気的にデータの書き込みおよび読み出しを行う。ＨＤＤ３１３は、サーバ３００の補助記憶装置として使用される。ＨＤＤ３１３には、ＯＳのプログラム、アプリケーションプログラム、および各種データが記憶される。なお、ＨＤＤ３１３に限らず、ＳＳＤ（Solid State Drive）を使用することもできる。なお、補助記憶装置としては、フラッシュメモリ等の半導体記憶装置を使用することもできる。
【００３９】
画像信号処理部３１４は、プロセッサ３１１からの命令に従って、サーバ３００に接続されたディスプレイ３１４ａに画像を出力する。ディスプレイ３１４ａとしては、ＣＲＴ（Cathode Ray Tube）ディスプレイ、液晶ディスプレイ（ＬＣＤ：Liquid Crystal Display）、プラズマディスプレイ、有機ＥＬ（ＯＥＬ：Organic Electro-Luminescence）ディスプレイ等、任意の種類のディスプレイを用いることができる。
【００４０】
入力信号処理部３１５は、サーバ３００に接続された入力デバイス３１５ａから入力信号を取得し、プロセッサ３１１に出力する。入力デバイス３１５ａとしては、マウス、タッチパネル、タッチパッド、トラックボール、キーボード、リモートコントローラ、ボタンスイッチ等、任意の種類の入力デバイスを用いることができる。また、サーバ３００に、複数の種類の入力デバイスが接続されていてもよい。
【００４１】
媒体リーダ３１６は、記録媒体３１９に記録されたプログラムやデータを読み取る読み取り装置である。記録媒体３１９として、たとえば、磁気ディスク、光ディスク、光磁気ディスク（ＭＯ：Magneto-Optical disk）、半導体メモリ等を使用できる。磁気ディスクには、フレキシブルディスク（ＦＤ：Flexible Disk）やＨＤＤが含まれる。光ディスクには、ＣＤ（Compact Disc）やＤＶＤ（Digital Versatile Disc）が含まれる。
【００４２】
媒体リーダ３１６は、たとえば、記録媒体３１９から読み取ったプログラムやデータを、ＲＡＭ３１２やＨＤＤ３１３等の他の記録媒体にコピーする。読み取られたプログラムは、たとえば、プロセッサ３１１によって実行される。なお、記録媒体３１９は可搬型記録媒体であってもよく、プログラムやデータの配布に用いられることがある。また、記録媒体３１９やＨＤＤ３１３を、コンピュータ読み取り可能な記録媒体と言うことがある。
【００４３】
通信インタフェース３１７は、ネットワーク４１０に接続されている。通信インタフェース３１７は、他のコンピュータ、記憶装置、または通信機器との間でデータの送受信を行う。
【００４４】
以上のようなハードウェア構成によって、第２の実施形態のサーバ３００の処理機能を実現することができる。また、第１の実施形態の情報処理装置１０もサーバ３００と同様のハードウェア構成により実現することができる。なお、上記の構成は一例であり、構成部の組み合わせは適宜決定できる。たとえば、上記構成のうち必要のないものを削除するとしてもよい。
【００４５】
サーバ３００は、たとえばコンピュータ読み取り可能な記録媒体に記録されたプログラムを実行することにより、第２の実施形態の処理機能を実現する。サーバ３００に実行させる処理内容を記述したプログラムは、様々な記録媒体に記録しておくことができる。たとえば、サーバ３００に実行させるプログラムをＨＤＤ３１３に記憶しておくことができる。プロセッサ３１１は、ＨＤＤ３１３内のプログラムの少なくとも一部をＲＡＭ３１２にロードし、プログラムを実行する。また、サーバ３００に実行させるプログラムを、光ディスク、メモリ装置、メモリカード等の可搬型記録媒体に記録しておくこともできる。可搬型記録媒体に記憶されたプログラムは、たとえばプロセッサ３１１からの制御により、ＨＤＤ３１３にインストールされた後、実行可能となる。またプロセッサ３１１が、可搬型記録媒体から直接プログラムを読み出して実行することもできる。
【００４６】
次に、第２の実施形態の排出規則情報について図４を用いて説明する。図４は、第２の実施形態の排出規則情報の一例を示す図である。排出規則情報５００は、ごみを排出するルールを定めた情報である。自治体の係員や情報処理システム４００の管理者等は、予めサーバ３００のＨＤＤ３１３等の記憶部に排出規則情報５００を記憶させる。
【００４７】
排出規則情報５００は、項番、地区コード、集積所コード、ごみ収集曜日、ごみ出し可能時間の項目を含む。項番の項目には、排出規則情報５００に含まれるエントリの識別情報（項番）が登録される。地区コードの項目には、地区の識別情報（地区コード）が登録される。集積所コードの項目には、集積所の識別情報（集積所コード）が登録される。ごみ収集曜日の項目には、ごみ種別名（コンテナコード）の項目が含まれ、ごみ種別名ごとにごみ収集曜日が登録される。コンテナコードとは、ごみを収容するコンテナ（コンテナが備えるタグリーダ１０１ａが読み取った情報）を識別する識別情報であり、ごみが収容されたコンテナ（どのコンテナにごみを排出したか）を識別するための情報である。
【００４８】
ごみ種別名として、燃えるごみ、プラスチック、缶、びん、ペットボトル、古紙、小型家電の項目を含む。また、燃えるごみのコンテナコードが「Ａ」、プラスチックのコンテナコードが「Ｂ」、缶のコンテナコードが「Ｃ」、びんのコンテナコードが「Ｄ」、ペットボトルのコンテナコードが「Ｅ」、古紙のコンテナコードが「Ｆ」、小型家電のコンテナコードが「Ｇ」である。ごみ出し可能時間の項目には、ごみ出しが可能な時間について、開始時間および終了時間が登録される。
【００４９】
ここで、排出規則情報５００に含まれるエントリについて説明する。たとえば、排出規則情報５００には、項番に「１」、地区コードに「００１」、集積所コードに「Ａ」という情報が登録される。また、ごみ収集曜日について、燃えるごみに「月」、プラスチックに「火」、缶に「水」、びんに「木」、ペットボトルに「金」、古紙に「第３水曜日」、小型家電に「第１月曜日」という情報が登録される。また、ごみ出し可能時間に「６：００−１０：００」という情報が登録される。
【００５０】
これは、項番「１」のエントリについて、地区コード「００１」で識別される地区における、集積所コード「Ａ」で識別されるごみ集積所についての排出規則であることを示す。地区コード「００１」の地区における集積所コード「Ａ」の排出規則について、燃えるごみのごみ収集曜日が「月曜日」、プラスチックのごみ収集曜日が「火曜日」、缶のごみ収集曜日が「水曜日」、びんのごみ収集曜日が「木曜日」、ペットボトルのごみ収集日が「金曜日」、古紙のごみ収集曜日が「第３水曜日」、小型家電のごみ収集曜日が「第１月曜日」であることを示す。また、地区コード「００１」の地区における集積所コード「Ａ」の排出規則について、ごみ出し可能時間が「６時」から「１０時」であることを示す。
【００５１】
次に、第２の実施形態のタグ読取情報について図５を用いて説明する。図５は、第２の実施形態のタグ読取情報の一例を示す図である。
タグ読取情報５１０は、サーバ３００が広域中継装置２５０を介して受信した情報の一例である。サーバ３００は、タグ読取情報５１０を受信し、ＨＤＤ３１３等の記憶部に記憶する。タグ読取情報５１０は、地区コード、集積所コード、コンテナコード、時間、ごみ種別コード、世帯コードの項目を含む。地区コードの項目には、タグ１５１ａを読み取ったコンテナ（コンテナに設置されたタグリーダ１０１ａ）が存在する地区に対応する地区コードが登録される。集積所コードの項目には、タグ１５１ａを読み取ったコンテナ（コンテナに設置されたタグリーダ１０１ａ）が存在する集積所に対応する集積所コードが登録される。コンテナコードの項目には、タグ１５１ａを読み取ったタグリーダ１０１ａが設置されたコンテナに対応するコンテナコードが登録される。
【００５２】
時間の項目には、タグリーダ１０１ａがタグ１５１ａから情報を読み取った時間が登録される。言い換えると、時間とは、ごみがコンテナに排出された時間である。ここで、時間には、時分の情報のみではなく、日時や年月日の情報も含めることができるものとし、以下においても同様とする。
【００５３】
ごみ種別コードの項目には、タグ１５１ａに記録されたごみ種別コードが登録される。ごみ種別コードは、予めごみ種別によって定められた値であり、ＨＤＤ１３１等に記録されているものとする。たとえば、ごみ種別コードの定義情報として、燃えるごみのごみ種別コードが「０１」、プラスチックのごみ種別コードが「０２」、缶のごみ種別コードが「０３」、びんのごみ種別コードが「０４」、ペットボトルのごみ種別コードが「０５」、古紙のごみ種別コードが「０６」、小型家電のごみ種別コードが「０７」と定められており、サーバ３００の記憶部に記憶されているものとする。
【００５４】
世帯コードの項目には、タグ１５１ａに記録された世帯コードが登録される。ごみ種別コードと世帯コードは、予めごみ袋に付与されているタグ１５１やシール１６０ａに付与されているタグ１６１ａに記憶されているものとする。たとえば、世帯コード「８０８８８」で特定される世帯に配布されたごみ袋について、燃えるごみ用ごみ袋１５０ａに付与されているタグ１５１には、ごみ種別コード「０１」と世帯コード「８０８８８」が記録されているものとする。なお、世帯コードは、ごみを排出する者を識別する識別情報の一例であり、その他の識別情報であってもよい。
【００５５】
ここで、タグ読取情報５１０に含まれる情報について説明する。たとえば、タグ読取情報５１０には、地区コードに「００１」、集積所コードに「Ａ」、コンテナコードに「Ａ」、時間に「２０１９／２／２５  ７：００」、ごみ種別コードに「０１」、世帯コードに「８０８８８」という情報が登録される。
【００５６】
これは、地区コード「００１」の地区における集積所コード「Ａ」のごみ集積所で、燃えるごみ収集コンテナ１００ａ（コンテナコード「Ａ」）に、「２０１９年２月２５日７時」に、燃えるごみ（ごみ種別コード「０１」）が、世帯コード「８０８８８」で特定される世帯によって排出されたことを示す。
【００５７】
ここで、タグリーダ１０１ａがタグ１５１ａから読み取った情報がサーバ３００に受信されるまでの流れについて説明する。タグリーダ１０１ａは、コンテナに排出されたごみに付与されているタグ１５１ａに記録された情報（ごみ種別コード、世帯コード）を読み取り、タグ１５１ａから情報を読み取った時間を付与して集積所中継装置２００ａに送信する。集積所中継装置２００ａは、タグリーダ１０１ａから受信した情報にタグリーダ１０１ａが設置されているコンテナに対応するコンテナコード（Ａ〜Ｇのいずれかのコード）を付与する。たとえば、集積所中継装置２００ａは、タグリーダ１０１ａから受信した情報に、コンテナコード「Ａ」を付与する。集積所中継装置２００ａは、タグリーダ１０１ｂから受信した情報に、コンテナコード「Ｂ」を付与する。集積所中継装置２００ａは、タグリーダ１０１ｃから受信した情報に、コンテナコード「Ｃ」を付与する。集積所中継装置２００ａは、タグリーダ１０１ｄから受信した情報に、コンテナコード「Ｄ」を付与する。集積所中継装置２００ａは、タグリーダ１０１ｅから受信した情報に、コンテナコード「Ｅ」を付与する。集積所中継装置２００ａは、タグリーダ１０１ｆから受信した情報に、コンテナコード「Ｆ」を付与する。集積所中継装置２００ａは、タグリーダ１０１ｇから受信した情報に、コンテナコード「Ｇ」を付与する。集積所中継装置２００ａは、コンテナコードを付与した情報を広域中継装置２５０に送信する。
【００５８】
広域中継装置２５０は、集積所中継装置２００ａから情報を受信し、受信した情報に集積所中継装置２００ａが所属する地区の地区コードおよび集積所コードを付与しサーバ３００に送信する。
【００５９】
このように、各中継装置において、ごみを排出したコンテナ、集積所、地区を特定する情報をタグ１５１ａから読み取った情報に付与することで、タグ読取情報５１０が生成される。なお、タグ読取情報５１０に含まれる情報は一例に過ぎず、その他の情報を含むものであってもよい。また、各中継装置は、情報の送受信機能とともに、受信した情報に情報を付加する機能も備えているものとする。
【００６０】
次に、第２の実施形態の履歴情報について図６を用いて説明する。図６は、第２の実施形態の履歴情報の一例を示す図である。履歴情報５２０は、サーバ３００がタグ読取情報５１０を受信し、受信したタグ読取情報５１０を蓄積した情報である。サーバ３００は、ＨＤＤ３１３等の記憶部に履歴情報５２０として記憶する。履歴情報５２０は、時間、地区コード、集積所コード、コンテナコード、ごみ種別コード、世帯コードの項目を含む。履歴情報５２０は、サーバ３００が受信したタグ読取情報５１０を時間順にソートしたものである。履歴情報５２０に含まれる項目は、タグ読取情報５１０に含まれる項目と同様であるため、説明を省略する。
【００６１】
次に、第２の実施形態の逸脱管理情報について図７を用いて説明する。図７は、第２の実施形態の逸脱管理情報の一例を示す図である。逸脱管理情報５３０は、サーバ３００が、排出規則情報５００等に基づき履歴情報５２０から排出規則を逸脱してごみの排出が行われたと判定した情報を抽出した情報である。サーバ３００は、履歴情報５２０を読み出して排出規則情報５００と対比し、排出規則情報５００を逸脱したエントリを履歴情報５２０から抽出し、逸脱管理情報５３０としてＨＤＤ３１３等の記憶部に記憶する。
【００６２】
逸脱管理情報５３０は、時間、地区コード、集積所コード、コンテナコード、ごみ種別コード、世帯コード、エラーコードの項目を含む。逸脱管理情報５３０に含まれる項目のうち、エラーコード以外の項目は履歴情報５２０と同様であるため、説明を省略する。
【００６３】
エラーコードの項目には、排出規則情報５００を逸脱した内容を識別する情報（エラーコード）が登録される。エラーコードは、予め定められた値であり、ＨＤＤ１３１等の記憶部に記録されているものとする。たとえば、エラーコードの定義情報として、ごみの排出時間が排出規則情報５００を逸脱した場合のエラーコードが「Ｔ」である。また、ごみが所定のコンテナに排出されずごみが正しく分別されていない場合のエラーコードが「Ｋ」である。また、ごみが排出規則で定められた曜日に排出されていない場合のエラーコードが「Ｗ」である。
【００６４】
ここで、逸脱管理情報５３０に含まれるエントリについて説明する。たとえば、時間に「２０１９／２／５  ０：００」、地区コードに「００１」、集積所コードに「Ａ」、コンテナコードに「Ｂ」、ごみ種別コードに「０１」、世帯コードに「００１００」、エラーコードに「Ｔ，Ｋ，Ｗ」という情報が登録される。
【００６５】
これは、「２０１９年２月５日  ０時」に、地区コード「００１」の地区における、集積所コード「Ａ」のごみ集積所で、プラスチック収集コンテナ１００ｂ（コンテナコード「Ｂ」）に、燃えるごみ（ごみ種別コード「０１」）が、世帯コード「００１００」で識別される世帯（世帯に含まれる住人）により排出されたことを示す。また、このエントリが示すごみの排出について、地区コード「００１」の集積所コード「Ａ」において、ごみ出し可能時間が「６時から１０時」であるが、ごみが排出された時間が「０時」であるため、ごみ出し可能時間の逸脱（エラーコード：「Ｔ」、時間外エラー）に該当することを示す。
【００６６】
また、排出されたごみが燃えるごみ（ごみ種別コード「０１」）であるが、ごみを検知したコンテナがプラスチック収集コンテナ１００ｂ（コンテナコード「Ｂ」）であるため、ごみ分別の誤り（エラーコード：「Ｋ」、種別エラー）に該当する。ごみ種別コードごとに、対応すべきコンテナ（コンテナコード）がコンテナ別排出規則情報として予め定められており、記憶部に記憶されている。
【００６７】
コンテナ別排出規則情報には、ごみ種別コード「０１」に対応するコンテナコードが「Ａ」、ごみ種別コード「０２」に対応するコンテナコードが「Ｂ」、ごみ種別コード「０３」に対応するコンテナコードが「Ｃ」と定められている。また、コンテナ別排出規則情報には、ごみ種別コード「０４」に対応するコンテナコードが「Ｄ」、ごみ種別コード「０５」に対応するコンテナコードが「Ｅ」、ごみ種別コード「０６」に対応するコンテナコードが「Ｆ」、ごみ種別コード「０７」に対応するコンテナコードが「Ｇ」、と定められている。サーバ３００は、履歴情報５２０に含まれるエントリについて、コンテナコードとごみ種別コードとの対応関係がコンテナ別排出規則情報を逸脱する場合、ごみ分別の誤り（種別エラー）と判定できる。
【００６８】
たとえば、燃えるごみ（ごみ種別コード「０１」）が正しく排出された場合、燃えるごみ収集コンテナ１００ａに排出され、燃えるごみ収集コンテナ１００ａに備えられたタグリーダ１０１ａによってごみに貼付されたタグ１５１ａが読み取られ、タグ読取情報５１０のコンテナコードに「Ａ」が登録される。この場合、タグ読取情報５１０には、ごみ種別コードに「０１」、コンテナコードに「Ａ」が登録されるため、コンテナ別排出規則情報を遵守しており、逸脱しないためエラー判定とはならない。しかし、燃えるごみが、誤ってプラスチック収集コンテナ１００ｂに排出された場合、タグリーダ１０１ｂによってごみに貼付されたタグ１５１ａが読み取られ、タグ読取情報５１０のコンテナコードに「Ｂ」が付与され、コンテナ別排出規則情報を逸脱し、種別エラーとなる。
【００６９】
また、燃えるごみが排出された曜日が火曜日（２０１９年２月５日）であるが、同地区同集積所において燃えるごみの収集曜日は月曜日であるため、ごみ出し曜日の誤り（エラーコード：「Ｗ」、曜日エラー）に該当することを示す。
【００７０】
次に、第２の実施形態のごみ排出情報表示画面について図８を用いて説明する。図８は、第２の実施形態のごみ排出情報表示画面の一例を示す図である。ごみ排出情報表示画面６００は、サーバ３００が履歴情報５２０および逸脱管理情報５３０に基づき、ごみの排出に関する情報を表示する画面である。サーバ３００は、履歴情報５２０および逸脱管理情報５３０に基づき、ごみの排出に関する情報を表示した画面をディスプレイに表示する。
【００７１】
ごみ排出情報表示画面６００は、リスト表示領域６０１、時間分析表示ボタン６０２、分別結果表示ボタン６０３、曜日分析表示ボタン６０４、メールボタン６０５、終了ボタン６０６を含む。リスト表示領域６０１は、ごみの排出に関する情報（以下、ごみ排出情報とも記載する。）をリストとして表示する領域である。リスト表示領域６０１は、画面に表示対象とするデータの期間や、表示順序を規定する項目を受け付ける領域を含む。たとえば、リスト表示領域６０１は、期間を「２０１９年２月」とし、表示順序を「世帯別  逸脱数  降順表示」とした項目を受け付け、ごみ排出情報リストを表示した例を示している。リスト表示領域６０１は、世帯コード別に、排出規則情報５００を逸脱してごみの排出を行った件数の多い順に降順にリストとして表示した一例である。
【００７２】
リスト表示領域６０１に含まれるリストは、順位、世帯コード、地区コード、集積所コード、逸脱数、逸脱内容、詳細の項目を含む。順位の項目には、世帯コード別に逸脱数の多い順の順位が表示される。世帯コード、地区コード、集積所コードの項目には、順位に対応するコードがそれぞれ表示される。逸脱数の項目には、排出規則情報５００を逸脱してごみの排出を行った件数が表示される。逸脱内容の項目には、排出規則情報５００を逸脱してごみの排出を行った内容について、逸脱管理情報５３０のエラーコードに対応する内容が表示される。詳細の項目には、履歴情報５２０と逸脱管理情報５３０のエントリに基づき、ごみを排出した時間（年月日情報を含む）、曜日、ごみの種別、コンテナの種別が表示される。
【００７３】
ここで、リスト表示領域６０１に含まれるリストのうち、順位「３」のエントリについて説明する。順位「３」のエントリには、世帯コードが「８０８８８」である世帯のごみ排出情報を表示している。順位「３」のエントリは、地区コードに「００１」、集積所コードに「Ａ」、逸脱数に「１」、逸脱内容に「時間外エラー  種別エラー」、詳細に「１．２０１９／２／１８  ０：００，月曜日，燃えるごみ，フラスチック収納コンテナ」を表示する。
【００７４】
これは、世帯コード「８０８８８」の世帯が、地区コード「００１」、集積所コード「Ａ」に該当するごみ集積所でごみを排出していることを示す。また、世帯コード「８０８８８」の世帯が、排出規則から逸脱したごみ捨てを行った回数が１回（逸脱数「１」）であり、２０１９年２月における世帯別の逸脱数の上位３位（順位「３」）であることを示す。また、世帯コード「８０８８８」の世帯が、排出規則から逸脱したごみ捨てを行った内容が、ごみの排出時間の逸脱（時間外エラー）とごみ分別の逸脱（種別エラー）であることを示す。また、世帯コード「８０８８８」の世帯が、排出規則から逸脱したごみ捨てを２０１９年２月１８日０時月曜日に行い、燃えるごみをプラスチック収集コンテナ１００ｂに排出したことを示す。
【００７５】
リスト表示領域６０１に含まれるリストの項目のうち、順位「３」のエントリの地区コード「００１」が選択され、他の領域とは異なり斜線枠で強調表示されている状態を示す。強調表示とは、他の領域とは異なる色や柄等で表示する態様である。たとえば、他の領域の下地色が白色である場合、選択された領域のみ強調表示され下地色が黄色に変更された表示態様となる。
【００７６】
時間分析表示ボタン６０２、分別結果表示ボタン６０３、曜日分析表示ボタン６０４は、サーバ３００が受信した情報について分析結果を表示させるボタンである。ごみ排出情報表示画面６００を閲覧する係員は、ごみ排出情報表示画面６００に表示されたリストに含まれる矩形の領域について、世帯コード、地区コード、集積所コードのいずれかの領域を選択し、時間分析表示ボタン６０２、分別結果表示ボタン６０３、曜日分析表示ボタン６０４のいずれかのボタンを押下することで詳細な情報を表示させることができる。
【００７７】
時間分析表示ボタン６０２は、世帯コード、地区コード、集積所コードのうち、選択されたコードについて、履歴情報５２０に基づき時間別に分析した結果を表示する指示を行うボタンである。サーバ３００は、時間分析表示ボタン６０２の押下を検知した場合、時間別の分析結果をディスプレイ３１４ａに表示する。時間分析表示ボタン６０２が押下された場合の表示画面については、後で図９および図１０を用いて説明する。
【００７８】
分別結果表示ボタン６０３は、世帯コード、地区コード、集積所コードのうち、選択されたコードについて、履歴情報５２０に基づきごみの分別の情報を分析した結果を表示する指示を行うボタンである。サーバ３００は、分別結果表示ボタン６０３の押下を検知した場合、ごみの分別の分析結果をディスプレイ３１４ａに表示する。分別結果表示ボタン６０３が押下された場合の表示画面については、後で図１１および図１２を用いて説明する。
【００７９】
曜日分析表示ボタン６０４は、世帯コード、地区コード、集積所コードのうち、選択されたコードについて、履歴情報５２０に基づきごみを排出した曜日の情報を分析した結果を表示する指示を行うボタンである。サーバ３００は、曜日分析表示ボタン６０４の押下を検知した場合、ごみを排出した曜日の分析結果をディスプレイ３１４ａに表示する。曜日分析表示ボタン６０４が押下された場合の表示画面については、後で図１３および図１４を用いて説明する。
【００８０】
メールボタン６０５は、ごみ排出情報表示画面６００を閲覧する係員が、ごみ排出情報に基づき、メールで通知する際に押下するボタンである。サーバ３００は、メールボタン６０５が押下された場合にメールソフトを起動し、世帯コード、地区コード、集積所コードのうち、選択されたコードと選択されたエントリに含まれる逸脱内容、詳細等を本文に含むメールを作成する。また、サーバ３００は、選択されたコードに対応するメールアドレスが登録されている場合、メールの宛先に登録されたメールアドレスを記載する。係員は、メールボタン６０５の機能を利用することで、逸脱数の多い世帯に対して注意喚起のためのメールや、逸脱数が少ない地域の責任者や住人に対して表彰するメール等を送信することができる。
【００８１】
終了ボタン６０６は、係員がごみ排出情報を表示するプログラムの処理を終了する指示を行う際に押下するボタンである。サーバ３００は、終了ボタン６０６が押下された場合にプログラムの処理を終了する。
【００８２】
なお、ごみ排出情報表示画面６００においては、世帯別の逸脱数について降順となるよう表示したリストを示したが、これは一例に過ぎず、他の表示態様であってもよい。たとえば、ごみ排出情報表示画面６００において、逸脱数が昇順となるよう表示してもよいし、他の情報（地区コード、集積所コード、逸脱内容、詳細）に基づいてデータをソートした結果を表示してもよい。
【００８３】
次に、第２の実施形態の地区時間別表示画面について図９を用いて説明する。図９は、第２の実施形態の地区時間別表示画面の一例を示す図である。
地区時間別表示画面７００は、ごみ排出情報表示画面６００において地区コード「００１」が選択され、時間分析表示ボタン６０２が押下された場合にディスプレイ３１４ａに表示される画面である。地区時間別表示画面７００は、２０１９年２月における地区コード「００１」のごみ集積所において検知されたごみの排出時間別のごみの個数をデータおよびグラフで示した画面である。
【００８４】
地区時間別表示画面７００は、データ表示領域７０１、グラフ表示領域７０２を含む。なお、地区時間別表示画面７００は、データ表示領域７０１、グラフ表示領域７０２のうち、いずれか一方のみを含む画面であってもよいし、その他の情報を含む画面であってもよい。
【００８５】
データ表示領域７０１は、ごみ排出情報表示画面６００で指定された期間、項目について、ごみ種別ごとに履歴情報５２０からごみの個数を集計したデータを表示する領域である。データ表示領域７０１は、ごみ種別、２０１９年２月地区コード「００１」ごみ集積所検知時間、ごみ個数合計の項目を含む表示領域である。ごみ種別の項目は、排出されたごみの種別を表示する項目である。
【００８６】
２０１９年２月地区コード「００１」ごみ集積所検知時間の項目は、２０１９年２月における０時から２３時までの１時間単位で、地区コード「００１」に含まれるごみ集積所においてごみを検知した個数を表示する項目である。たとえば、２０１９年２月１日３時から３時５９分までの間に、地区コード「００１」の地区に存在するごみ集積所において、プラスチック収集コンテナ１００ｂに設置されたタグリーダ１０１ｂがごみを１つ検知した場合について説明する。この場合、データ表示領域７０１において、ごみ種別の項目が「プラスチック」であり、２０１９年２月地区コード「００１」ごみ集積所検知時間の項目「３」に該当する欄のごみ個数に「１」が表示される。
【００８７】
なお、時間の単位については、１時間単位と限るものではなく、ごみ出し可能時間の前後１時間についてのみ単位時間を短くしてもよい（たとえば、５分単位としてもよい）し、他の時間単位であってもよい。
【００８８】
ごみ個数合計の項目は、各項目のごみの個数（ごみ種別ごとのごみの個数）の合計を表示する項目である。たとえば、ごみ種別の項目が「燃えるごみ」のエントリのごみ個数合計には、燃えるごみの個数の合計を表示する。また、データ表示領域７０１の最下段の小計には、各時間単位におけるごみ個数を表示する。また、データ表示領域７０１の最下段の右端欄には、全ての時間（全ての種類）のごみの合計数を表示する。
【００８９】
グラフ表示領域７０２は、データ表示領域７０１に含まれるデータをグラフとして表示する領域である。グラフ表示領域７０２に含まれるグラフ軸は、横軸をごみが排出された時間とし、縦軸をごみの個数（以下、ごみの個数をごみ個数とも記載する。）とする。グラフ表示領域７０２は、ごみ出し可能な時間内に排出されたごみとごみ出し可能な時間外に排出されたごみとを区別して表示する。たとえば、グラフ表示領域７０２は、ごみ出し可能時間内に排出されたごみ個数のグラフを略矩形の点線で囲んで表示する。ごみ出し可能時間は、排出規則情報５００によって特定される。
【００９０】
このように、グラフ表示領域７０２は、ごみの排出規則を守って排出されたごみの個数と、規則を守らずに排出されたごみの個数とを対比可能な態様で表示する。また、グラフ表示領域７０２は、所定の時間単位で時系列順にごみ個数をグラフとして表示する。このため、係員は、どの時間帯においてごみが排出された個数が多いかを視覚的に確認しやすい。また、係員は、ごみを排出可能な時間内に排出されたごみの個数と排出可能な時間外に排出されたごみの個数とを対比しやすい。また、係員は、いつ何個のごみが排出されたのか時間と個数を把握できるため、ごみの排出規則の見直しや改定を行う際の参考にすることができる。
【００９１】
サーバ３００は、グラフ表示領域７０２において、マウスポインタ等でごみ個数のグラフを選択する入力を受け付けた場合、選択されたグラフの内訳を表示する。グラフ表示領域７０２において、ごみ出し可能時間外である「１０時」の位置のごみ個数「２７」の棒グラフが選択され斜線でハッチングした強調表示の態様とした一例を示している。選択されたグラフの内訳は、燃えるごみのごみ個数が「１９」とプラスチックのごみ個数が「８」であることを示している。
【００９２】
このように、サーバ３００は、地区時間別表示画面７００によって、ごみ出し可能時間内に排出されたごみ個数と、ごみ出し可能時間外に排出されたごみ個数とをグラフで時系列に並べて視覚化することができる。係員は、地区時間別表示画面７００を目視することで、排出規則情報５００を逸脱してごみ出しが行われた時間およびごみ個数を把握しやすくなる。
【００９３】
また、ごみ出しに関する規則が変更になった場合、係員は、排出規則情報５００を変更することで地区時間別表示画面７００の表示内容も変更することが可能となり、規則の変更に対しても柔軟な表示対応が可能となる。
【００９４】
次に、第２の実施形態の世帯時間別表示画面について図１０を用いて説明する。図１０は、第２の実施形態の世帯時間別表示画面の一例を示す図である。
世帯時間別表示画面７１０は、ごみ排出情報表示画面６００において世帯コード「８０８８８」が選択され、時間分析表示ボタン６０２が押下された場合にディスプレイ３１４ａに表示される画面である。世帯時間別表示画面７１０は、２０１９年２月に世帯コード「８０８８８」を記録したタグ１５１ａが検知されたごみの個数をごみの排出時間別にデータおよびグラフで示した画面である。世帯時間別表示画面７１０は、データ表示領域７１１、グラフ表示領域７１２を含む。
【００９５】
世帯時間別表示画面７１０は、地区時間別表示画面７００と地区コードと世帯コードとが異なるが、その他については地区時間別表示画面７００とほぼ同様であるため、説明を省略する。
【００９６】
次に、第２の実施形態の地区ごみ分別表示画面について図１１を用いて説明する。図１１は、第２の実施形態の地区ごみ分別表示画面の一例を示す図である。
地区ごみ分別表示画面７２０は、ごみ排出情報表示画面６００において地区コード「００１」が選択され、分別結果表示ボタン６０３が押下された場合にディスプレイ３１４ａに表示される画面である。地区ごみ分別表示画面７２０は、２０１９年２月における地区コード「００１」のごみ集積所において、コンテナに投入されたごみ種別ごとの個数をデータおよびグラフで示した画面である。
【００９７】
地区ごみ分別表示画面７２０は、データ表示領域７２１、グラフ表示領域７２２を含む。なお、地区ごみ分別表示画面７２０は、データ表示領域７２１、グラフ表示領域７２２のうち、いずれか一方のみを含む画面であってもよいし、その他の情報を含む画面であってもよい。
【００９８】
データ表示領域７２１は、ごみ排出情報表示画面６００で指定された期間、項目について、ごみ種別ごとに履歴情報５２０からごみの個数を集計したデータを表示する領域である。データ表示領域７２１は、排出ごみ種別、２０１９年２月地区コード「００１」ごみ収集コンテナ別ごみ個数、ごみ個数合計の項目を含む表示領域である。
【００９９】
排出ごみ種別の項目は、コンテナに排出されたごみの種別を表示する項目である。コンテナが備えるタグリーダ１０１ａが、コンテナに排出されたごみに付与されているタグ１５１ａを読み取ることで、どの種別のごみがコンテナに排出されたかを検出できる。
【０１００】
２０１９年２月地区コード「００１」ごみ収集コンテナ別ごみ個数の項目は、２０１９年２月の地区コード「００１」におけるごみを収集するコンテナ別ごみ個数を表示する項目である。たとえば、燃えるごみの項目は、燃えるごみ収集コンテナ１００ａに排出されたごみ種別ごとのごみの個数が表示される項目である。言い換えると、燃えるごみ収集コンテナ１００ａが備えるタグリーダ１０１ａが、タグ１５１ａから読み取った情報に含まれるごみ種別を集計した情報が表示される項目である。燃えるごみの項目は、排出ごみ種別の項目縦方向について、燃えるごみの欄に「２５０」、プラスチックの欄に「２０」、缶の欄に「２」、以降の欄については「０」、小計に「２７２」が表示される。これは、燃えるごみ収集コンテナ１００ａに排出されたごみ個数であり、燃えるごみが「２５０」個、プラスチックが「２０」個、缶が「２」個排出されたことを示している。ごみ個数合計の項目は、各項目のごみの個数の合計を表示する項目である。
【０１０１】
グラフ表示領域７２２は、データ表示領域７２１に含まれるデータをグラフとして表示する領域である。グラフ表示領域７２２に含まれるグラフ軸は、横軸がごみを排出するコンテナの種別、縦軸がごみ個数である。
【０１０２】
グラフ表示領域７２２は、各コンテナ別のごみ個数を棒グラフで示しており、棒グラフのうち斜線でハッチングされた部分がごみ分別誤りの個数である。たとえば、燃えるごみ収集コンテナ１００ａに排出されたごみの個数が「２７２」個であるが、正しく排出された燃えるごみは「２５０」個である。燃えるごみ収集コンテナ１００ａに排出されたごみの個数のうち残りの「２２」個は、プラスチックが「２０」個、缶が「２」個であり、この「２２」個がごみの分別誤りの個数である。
【０１０３】
サーバ３００は、グラフ表示領域７２２において、マウスポインタ等でごみ個数のグラフを選択する入力を受け付けた場合、選択されたグラフの内訳を表示する。グラフ表示領域７２２において、燃えるごみの棒グラフのうちごみ分別誤りの部分が選択され、内訳を表示した態様の一例を示している。選択されたごみ分別誤りの内訳は、ごみ分別誤り「２２」個、プラスチックのごみ個数が「２０」個、缶のごみ個数が「２」個であることを示している。
【０１０４】
このように、サーバ３００は、地区ごみ分別表示画面７２０によって、コンテナ別に排出されたごみ個数をグラフで並べて視覚化することができる。係員は、地区ごみ分別表示画面７２０を目視することで、排出規則情報５００を逸脱してごみ出しが行われた種類およびごみ個数を把握しやすくなる。
【０１０５】
次に、第２の実施形態の世帯ごみ分別表示画面について図１２を用いて説明する。図１２は、第２の実施形態の世帯ごみ分別表示画面の一例を示す図である。
世帯ごみ分別表示画面７３０は、ごみ排出情報表示画面６００において世帯コード「８０８８８」が選択され、分別結果表示ボタン６０３が押下された場合にディスプレイ３１４ａに表示される画面である。世帯ごみ分別表示画面７３０は、２０１９年２月に世帯コード「８０８８８」を記録したタグ１５１ａが検知されたごみの個数をコンテナ種別ごとにデータおよびグラフで示した画面である。
【０１０６】
世帯ごみ分別表示画面７３０は、データ表示領域７３１、グラフ表示領域７３２を含む。世帯ごみ分別表示画面７３０は、地区ごみ分別表示画面７２０と地区コードと世帯コードとが異なるが、その他については地区ごみ分別表示画面７２０とほぼ同様であるため、説明を省略する。
【０１０７】
次に、第２の実施形態の地区曜日別表示画面について図１３を用いて説明する。図１３は、第２の実施形態の地区曜日別表示画面の一例を示す図である。
地区曜日別表示画面７４０は、ごみ排出情報表示画面６００において地区コード「００１」が選択され、曜日分析表示ボタン６０４が押下された場合にディスプレイ３１４ａに表示される画面である。地区曜日別表示画面７４０は、２０１９年３月における地区コード「００１」のごみ集積所において、コンテナにごみが投入された曜日ごとの個数をデータおよびグラフで示した画面である。地区曜日別表示画面７４０は、データ表示領域７４１、グラフ表示領域７４２を含む。なお、地区曜日別表示画面７４０は、データ表示領域７４１、グラフ表示領域７４２のうち、いずれか一方のみを含む画面であってもよいし、その他の情報を含む画面であってもよい。
【０１０８】
データ表示領域７４１は、ごみ排出情報表示画面６００で指定された期間、項目について、ごみ種別ごとに履歴情報５２０からごみの個数を集計したデータを表示する領域である。データ表示領域７４１は、排出ごみ種別、２０１９年３月地区コード「００１」ごみ収集コンテナ別ごみ個数、収集無し日、ごみ個数合計の項目を含む表示領域である。排出ごみ種別の項目は、コンテナに排出されたごみの種別を表示する項目である。
【０１０９】
２０１９年３月地区コード「００１」ごみ収集コンテナ別ごみ個数の項目は、２０１９年３月の地区コード「００１」における曜日別のごみ個数を表示する項目である。２０１９年３月地区コード「００１」ごみ収集コンテナ別ごみ個数の項目には、７つの項目が含まれる。７つの項目について左から順に、月（燃えるごみ）、火（プラスチック）、水（缶）、木（びん）、金（ペットボトル）、第３水曜日（古紙）、第１月曜日（小型家電）の項目である。７つの項目の左から１番目について、月曜日が、ごみ種別「燃えるごみ」が収集される曜日であることを示す。７つの項目の他の項目についても同様に、曜日と収集されるごみ種別とを示す。たとえば、月（燃えるごみ）の項目は、コンテナに月曜日に排出されたごみ種別ごとのごみの個数が表示される項目である。言い換えると、タグリーダ１０１ａが、月曜日にタグ１５１ａから読み取った情報に含まれるごみ種別を集計した情報が表示される項目である。月（燃えるごみ）の項目は、排出ごみ種別の項目縦方向について、燃えるごみの欄に「２２０」、プラスチックの欄に「１５」、缶の欄に「２」、以降の欄については「０」、小計に「２３７」が表示される。これは、月曜日に排出されたごみ個数であり、燃えるごみが「２２０」個、プラスチックが「１５」個、缶が「２」個排出されたことを示している。小計「２３７」個は、月曜日に排出されたごみの個数の合計を示している。
【０１１０】
収集無し日の項目は、地区コード「００１」においてごみの収集が無い曜日において検知したごみの個数を示す項目である。収集無し日の項目は、土、日の項目を含む。収集無し日の「土」の項目において、燃えるごみの欄に「２」が表示される。これは、土曜日に、地区コード「００１」の集積所において燃えるごみが「２」個排出されたことを示す。また、収集無し日の「日」の項目において、燃えるごみの欄に「３８」が表示される。これは、日曜日に、地区コード「００１」の集積所において燃えるごみが「３８」個排出されたことを示す。ごみ個数合計の項目は、各項目のごみの個数の合計を表示する項目である。
【０１１１】
グラフ表示領域７４２は、データ表示領域７４１に含まれるデータをグラフとして表示する領域である。グラフ表示領域７４２に含まれるグラフ軸は、横軸がごみを排出する曜日、縦軸がごみ個数である。
【０１１２】
グラフ表示領域７４２は、各曜日別のごみ個数を棒グラフで示しており、棒グラフのうち斜線でハッチングされた部分が曜日誤りの個数である。グラフ表示領域７４２は、ごみの種別ごとに排出可能な曜日内に排出された個数を棒グラフの白色下地部分で示し、排出可能な曜日外に排出された個数を棒グラフの斜線でハッチングした部分で示している。このように、グラフ表示領域７４２は、廃棄に関する規則を守って排出されたごみの個数と、規則を守らずに排出されたごみの個数とを対比可能な態様で表示する。
【０１１３】
たとえば、地区コード「００１」においては月曜日が燃えるごみを回収する曜日であり、月曜日に排出されたごみの個数が「２３７」個であるが、正しく排出された燃えるごみは「２２０」個である。月曜日に排出されたごみの個数のうち残りの「１７」個は、プラスチックが「１５」個、缶が「２」個であり、この「１７」個がごみを排出する曜日誤りの個数である。
【０１１４】
サーバ３００は、グラフ表示領域７４２において、マウスポインタ等でごみ個数のグラフを選択する入力を受け付けた場合、選択されたグラフの内訳を表示する。グラフ表示領域７４２において、月（燃えるごみ）の棒グラフのうち曜日誤りの部分が選択され、内訳を表示した態様の一例を示している。選択された曜日誤りの内訳は、曜日誤り「１７」個、プラスチックのごみ個数が「１５」個、缶のごみ個数が「２」個であることを示している。
【０１１５】
このように、サーバ３００は、地区曜日別表示画面７４０によって、曜日別に排出されたごみ個数をグラフで並べて視覚化することができる。係員は、地区曜日別表示画面７４０を目視することで、排出規則情報５００を逸脱してごみ出しが行われた曜日およびごみ個数を把握しやすくなる。
【０１１６】
次に、第２の実施形態の世帯曜日別表示画面について図１４を用いて説明する。図１４は、第２の実施形態の世帯曜日別表示画面の一例を示す図である。
世帯曜日別表示画面７５０は、ごみ排出情報表示画面６００において世帯コード「８０８８８」が選択され、曜日分析表示ボタン６０４が押下された場合にディスプレイ３１４ａに表示される画面である。世帯曜日別表示画面７５０は、２０１９年３月に世帯コード「８０８８８」を記録したタグ１５１ａが検知されたごみの個数を曜日ごとにデータおよびグラフで示した画面である。
【０１１７】
世帯曜日別表示画面７５０は、データ表示領域７５１、グラフ表示領域７５２を含む。世帯曜日別表示画面７５０は、地区曜日別表示画面７４０と地区コードと世帯コードとが異なるが、その他については地区曜日別表示画面７４０とほぼ同様であるため、説明を省略する。
【０１１８】
次に、第２の実施形態のごみ情報収集処理について図１５を用いて説明する。図１５は、第２の実施形態のごみ情報収集処理のフローチャートの一例を示す図である。
ごみ情報収集処理は、サーバ３００が広域中継装置２５０を介してタグ読取情報５１０を受信し、履歴情報５２０に記録し、逸脱管理情報５３０の作成（または更新）を行う処理である。サーバ３００の制御部３１０（プロセッサ３１１）は、タグ読取情報５１０を受信し、ごみ情報収集処理を実行する。
【０１１９】
［ステップＳ１１］サーバ３００は、広域中継装置２５０を介してタグ読取情報５１０を受信する。
［ステップＳ１２］サーバ３００は、受信したタグ読取情報５１０を履歴情報５２０に記録する。
【０１２０】
［ステップＳ１３］サーバ３００は、履歴情報５２０を地区コードで分類する。本ステップにおいて、サーバ３００は、排出規則情報５００と対比可能な情報を取得するため地区コードで分類するが、ごみの排出規則が地区コードおよび集積所コードごとに定められている場合、地区コードだけでなく、地区コードおよび集積所コードごとに分類する。
【０１２１】
［ステップＳ１４］サーバ３００は、ＨＤＤ３１３等の記憶部から排出規則情報５００を読み出す。
［ステップＳ１５］サーバ３００は、ステップＳ１３で分類した情報と排出規則情報５００とを対比し、排出規則情報５００を逸脱する情報があるか否かを判定する。サーバ３００は、排出規則情報５００を逸脱する情報がある場合はステップＳ１６にすすみ、逸脱する情報がない場合はステップＳ１１にもどる。
【０１２２】
［ステップＳ１６］サーバ３００は、排出規則情報５００を逸脱する情報を履歴情報５２０から抽出し、逸脱管理情報５３０を作成し、ＨＤＤ３１３等の記憶部に記憶する。なお、サーバ３００は、既に逸脱管理情報５３０が作成されている場合、履歴情報５２０に追加されたエントリについて排出規則情報５００を逸脱するか否かを判定する。サーバ３００は、履歴情報５２０に追加されたエントリが排出規則情報５００を逸脱する場合、逸脱管理情報５３０に追加し、逸脱管理情報５３０を更新する。
【０１２３】
次に、第２の実施形態のごみ情報表示処理について図１６を用いて説明する。図１６は、第２の実施形態のごみ情報表示処理のフローチャートの一例を示す図である。
ごみ情報表示処理は、サーバ３００が係員から処理の実行を受け付け、選択されたごみ情報の表示を行う処理である。サーバ３００の制御部３１０（プロセッサ３１１）は、係員からごみ情報表示処理を行うプログラムを実行する指示を受け付け、ごみ情報表示処理を実行する。
【０１２４】
［ステップＳ２１］サーバ３００は、ごみ排出情報表示画面６００をディスプレイ３１４ａに表示する。サーバ３００は、係員から、期間や項目の選択を受け付け、受け付けた内容と履歴情報５２０および逸脱管理情報５３０に基づき、リスト表示領域６０１にごみ排出情報のリストを表示する。
【０１２５】
［ステップＳ２２］サーバ３００は、入力デバイス３１５ａを介してごみ排出情報表示画面６００に表示したボタンが押下されたか否かを検知する。サーバ３００は、ボタンが押下されない場合、ステップＳ２１にもどる。サーバ３００は、表示ボタン（時間分析表示ボタン６０２、分別結果表示ボタン６０３、曜日分析表示ボタン６０４）のいずれかが押下された場合、ステップＳ２３にすすむ。サーバ３００は、メールボタン６０５が押下された場合、ステップＳ２４にすすむ。サーバ３００は、終了ボタン６０６が押下された場合、処理を終了する。
【０１２６】
［ステップＳ２３］サーバ３００は、表示ボタンの押下によって選択された内容を表示する。たとえば、サーバ３００は、ごみ排出情報表示画面６００において地区コードが選択され、時間分析表示ボタン６０２が押下された場合、地区時間別表示画面７００をディスプレイ３１４ａに表示する。サーバ３００は、ごみ排出情報表示画面６００において世帯コードが選択され、時間分析表示ボタン６０２が押下された場合、世帯時間別表示画面７１０をディスプレイ３１４ａに表示する。
【０１２７】
また、サーバ３００は、ごみ排出情報表示画面６００において地区コードが選択され、分別結果表示ボタン６０３が押下された場合、地区ごみ分別表示画面７２０をディスプレイ３１４ａに表示する。サーバ３００は、ごみ排出情報表示画面６００において世帯コードが選択され、分別結果表示ボタン６０３が押下された場合、世帯ごみ分別表示画面７３０をディスプレイ３１４ａに表示する。
【０１２８】
また、サーバ３００は、ごみ排出情報表示画面６００において地区コードが選択され、曜日分析表示ボタン６０４が押下された場合、地区曜日別表示画面７４０をディスプレイ３１４ａに表示する。サーバ３００は、ごみ排出情報表示画面６００において世帯コードが選択され、曜日分析表示ボタン６０４が押下された場合、世帯曜日別表示画面７５０をディスプレイ３１４ａに表示する。
【０１２９】
［ステップＳ２４］サーバ３００は、ごみ排出情報表示画面６００においてメールボタン６０５が押下された場合、メールソフトを起動し、リスト表示領域６０１で選択された内容（逸脱内容、詳細等）を本文に含むメールを作成し、係員の送信指示に基づいてメールを送信する。
【０１３０】
このように、サーバ３００は、広域中継装置２５０を介してごみ集積所で検知した情報を収集し、収集した情報を係員が選択した期間および項目に応じてディスプレイ３１４ａに表示する。これにより、係員は、ごみの種別ごとにごみ集積所に排出された時間、曜日、を把握し、ごみの排出規則を逸脱したか否かを判定する参考情報を得られる。
【０１３１】
このように、情報処理システム４００は、ごみの排出に関する情報を提示することができる。
なお、上記の処理機能は、コンピュータによって実現することができる。その場合、情報処理装置１０、サーバ３００が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記憶装置、光ディスク、光磁気記録媒体、半導体メモリ等がある。磁気記憶装置には、ハードディスク装置（ＨＤＤ）、フレキシブルディスク（ＦＤ）、磁気テープ等がある。光ディスクには、ＤＶＤ、ＤＶＤ−ＲＡＭ、ＣＤ−ＲＯＭ（Compact Disc Read Only Memory）／ＲＷ（ReWritable）等がある。光磁気記録媒体には、ＭＯ等がある。
【０１３２】
プログラムを流通させる場合には、たとえば、そのプログラムが記録されたＤＶＤ、ＣＤ−ＲＯＭ等の可搬型記録媒体が販売される。また、プログラムをサーバコンピュータの記憶装置に格納しておき、ネットワークを介して、サーバコンピュータから他のコンピュータにそのプログラムを転送することもできる。
【０１３３】
プログラムを実行するコンピュータは、たとえば、可搬型記録媒体に記録されたプログラムもしくはサーバコンピュータから転送されたプログラムを、自己の記憶装置に格納する。コンピュータは、自己の記憶装置からプログラムを読み取り、プログラムにしたがった処理を実行する。なお、コンピュータは、可搬型記録媒体から直接プログラムを読み取り、そのプログラムにしたがった処理を実行することもできる。また、コンピュータは、ネットワークを介して接続されたサーバコンピュータからプログラムが転送されるごとに、逐次、受け取ったプログラムにしたがった処理を実行することもできる。
【０１３４】
また、上記の処理機能の少なくとも一部を、ＤＳＰ、ＡＳＩＣ、ＰＬＤ等の電子回路で実現することもできる。
【符号の説明】
【０１３５】
１０  情報処理装置
１１  制御部
１２  記憶部
１３  表示部
２０，３０  中継器
４０ａ，４０ｂ，…  コンテナ
４１ａ，４１ｂ，…  タグリーダ
７０  ごみ袋
７１，８１  タグ
８０  シール
９０  情報処理システム
【図１】
2020149547.tif 000003
【図２】
2020149547.tif 000004
【図３】
2020149547.tif 000005
【図４】
2020149547.tif 000006
【図５】
2020149547.tif 000007
【図６】
2020149547.tif 000008
【図７】
2020149547.tif 000009
【図８】
2020149547.tif 000010
【図９】
2020149547.tif 000011
【図１０】
2020149547.tif 000012
【図１１】
2020149547.tif 000013
【図１２】
2020149547.tif 000014
【図１３】
2020149547.tif 000015
【図１４】
2020149547.tif 000016
【図１５】
2020149547.tif 000017
【図１６】
2020149547.tif 000018